(57)【要約】【課題】箱体への袋体の収容を容易とすることができる補助具を提供する。【解決手段】補助具本体４１を箱体３の長さ寸法より短めに設定し、補助具本体４１の基端側を構成する太部５１での横幅Ｈ１を、箱体３の幅寸法より広めに設定する。補助具本体４１を箱体３に収容した状態で補助具本体４１の両側縁４２が箱体３の側面２２に当接し、その中央部が上方に突出する山形状となるように構成する。補助具本体４１上に配置した袋体２の端部を補助具本体４１の先端にて下面側へ折り返した状態で、当該袋体２の端部を離脱可能に係止する係止部８１を補助具本体４１に設け、係止部８１を、先端側へ向けて突出する山形のスリット８２で構成する。【選択図】図２
2007168888.tif 000002
【特許請求の範囲】
【請求項１】
収容体への軟質体の収容を容易とする補助具であって、
前記収容体に収容される長さを有した板状の補助具本体からなり、該補助具本体を前記収容体に収容して当該補助具本体の両縁を前記収容体の側部に当接した状態で、その中央部が上方に突出する山形状となるように形成する一方、
前記補助具本体の上面に配置された前記軟質体の端部を、前記補助具本体の先端にて下面側へ折り返した状態で当該軟質体の端部を離脱可能に係止する係止部を前記補助具本体に設けたことを特徴とする補助具。
【請求項２】
前記収容体は、収容された前記軟質体を取り出すための取出口を上面に備えたことを特徴とする請求項１記載の補助具。
【請求項３】
前記補助具本体の横幅の少なくとも一部を前記収容体の幅寸法より広く設定したことを特徴とする請求項１又は２記載の補助具。
【請求項４】
前記補助具本体の先端縁に、内側に後退する円弧状の先端後退部を設けたことを特徴とする請求項２又は３記載の補助具。
【請求項５】
前記係止部を、先端側へ向けて突出する山形のスリットで構成したことを特徴とする請求項１から４にいずれか記載の補助具。
【請求項６】
前記補助具本体の側縁に内側に後退する側縁後退部を設けたことを特徴とする請求項１から５にいずれか記載の補助具。
【請求項７】
前記補助具本体の先端部の幅寸法を、基端側より幅狭に設定したことを特徴とする請求項１から６にいずれか記載の補助具。
【発明の詳細な説明】
【技術分野】
【０００１】
本発明は、軟質体を収容体に収容する為の補助具に関する。
【背景技術】
【０００２】
従来、ゴミ袋、ビニール袋や、食品等を保存するための開口部を開閉できる軟質体からなる袋体が使用されている。これらの袋体は、略正方形状に形成されており、包装用の箱や袋等の収容体に収納されて販売されている。
【０００３】
最近では、魚や長ネギなどの長いものを収容できる長さの袋体も開発されている。これにより、魚や長ネギの保存が可能とされている。
【発明の開示】
【発明が解決しようとする課題】
【０００４】
しかしながら、特に長い袋体にあっては、包装用の箱体の側部から収容する際に袋体が中途部で折れ曲がることがあり、箱詰めに苦労を要するという問題があった。
【０００５】
本発明は、このような従来の課題に鑑みてなされたものであり、収容体への軟質体の収容を容易とすることができる補助具を提供することを目的とするものである。
【課題を解決するための手段】
【０００６】
前記課題を解決するために本発明の請求項１の補助具にあっては、収容体への軟質体の収容を容易とする補助具であって、前記収容体に収容される長さを有した板状の補助具本体からなり、該補助具本体を前記収容体に収容して当該補助具本体の両縁を前記収容体の側部に当接した状態で、その中央部が上方に突出する山形状となるように形成する一方、
【０００７】
前記補助具本体の上面に配置された前記軟質体の端部を、前記補助具本体の先端にて下面側へ折り返した状態で当該軟質体の端部を離脱可能に係止する係止部を前記補助具本体に設けた。
【０００８】
すなわち、軟質体を収容体に収容する際には、板状に形成された補助具本体の上面に前記軟質体を配置し、該軟質体の前端部を前記補助具本体の先端にて下面側へ折り返すとともに、この折り返された先端部を前記補助具本体に設けられた係止部に離脱可能に係止する。これにより、前記軟質体は、先端部が折り返された状態で長さ寸法が短くなり、コンパクト化されるとともに、前記板状の補助具本体によって不用意な折れ曲がりが防止される。
【０００９】
この状態において、前記補助具本体の側縁を把持し、この補助具本体を当該補助具本体に支持された前記軟質体と共に前記収容体の側部より挿入する。このとき、前記補助具本体は、前記収容体に収容される長さを有している。このため、前記補助具本体を前記収容体に挿入することによって、当該補助具本体に支持された前記軟質体は、中途部で折れ曲がること無く、前記収容体の奥まで収容される。
【００１０】
そして、前記補助具本体を前記収容体に収容した状態において、山形状となる様に形成されている。このため、前記軟質体は、先端部が前記補助具本体に支持されるとともに、他の部位は、上方に突出した前記補助具本体の突出部分と前記収容体の上面との間に挟持された状態で保持される。
【００１１】
また、請求項２の補助具においては、前記収容体は、収容された前記軟質体を取り出すための取出口を上面に備えている。
【００１２】
すなわち、前記収容体の上面には、収容された前記軟質体を取り出すための取出口が設けられており、当該収容体に収容された軟質体は、中央部が上方に突出した山形状となる補助具本体によって上面側に付勢される。
【００１３】
さらに、請求項３の補助具では、前記補助具本体の横幅の少なくとも一部を前記収容体の幅寸法より広く設定した。
【００１４】
すなわち、前記補助具本体の少なくとも一部の横幅は、前記収容体の幅寸法より広く設定されており、当該補助具本体を前記収容体に収容した状態において、その両縁が前記収容体の側部に当接することによって、その中央部が上方に突出する山形状となるとともに、補助具本体の弾性により上方に付勢される。
【００１５】
このため、前記軟質体は、先端部が前記補助具本体に支持されるとともに、他の部位は、上方に突出した前記補助具本体の突出部分と前記収容体の上面との間に確実に挟持される。
【００１６】
加えて、請求項４の補助具にあっては、前記補助具本体の先端縁に、内側に後退する円弧状の先端後退部を設けた。
【００１７】
すなわち、前記補助具本体の先端縁には、内側に後退する円弧状の先端後退部が形成されており、前記補助具本体の中央部を上方に突出するように山形に折曲した状態において、当該補助具本体の前縁から折曲部分までの間に軟質体取り出し時に前記軟質体が通過する通過領域が確保される。
【００１８】
また、請求項５の補助具本体においては、前記係止部を、先端側へ向けて突出する山形のスリットで構成した。
【００１９】
すなわち、前記係止部は、前記補助具本体に設けられたスリットで構成されており、このスリットに前記軟質体の先端部が挿入された状態で、当該軟質体の先端部が前記補助具本体に支持される。
【００２０】
このとき、前記スリットは、先端側へ向けて突出する山形に形成されている。このため、当該スリットに係止される前記軟質体は、先端側への抜けが許容される。
【００２１】
さらに、請求項６の補助具本体では、前記補助具本体の側縁に内側に後退する側縁後退部を設けた。
【００２２】
すなわち、前記補助具本体の側縁には、内側に後退する側縁後退部が形成されており、この補助具本体を収容体に挿入する際には、この側縁後端部に指が掛けられる。
【００２３】
加えて、請求項７の補助具本体にあっては、前記補助具本体の先端部の幅寸法を、基端側より幅狭に設定した。
【００２４】
すなわち、この補助具本体を収容体に挿入する際には、幅狭に設定された先端部が基端側より先行して前記収容体に収容される。
【発明の効果】
【００２５】
以上説明したように本発明の請求項１の補助具にあっては、収容体に軟質体を収容する際に、板状の補助具本体の上面に配置された軟質体の前端部を前記補助具本体の先端にて下面側へ折り返すとともに、この折り返された先端部を、前記補助具本体に設けられた係止部に係止する。これにより、前記軟質体の先端部を折り返して長さ寸法を短くした状態で、当該軟質体をコンパクトに収納することができる。
【００２６】
この状態において、前記補助具本体の側縁を把持し、この補助具本体を当該補助具本体に支持された前記軟質体と共に前記収容体の側部より挿入する。このとき、前記補助具本体は、前記収容体に収容される長さを有している。このため、前記補助具本体を前記収容体に挿入することによって、当該補助具本体に支持された前記軟質体を、中途部で折れ曲がること無く、前記収容体の奥まで収容することができる。
【００２７】
したがって、収容体の側部から収容される軟質体が収容途中で折れ曲がる恐れがある場合と比較して、収容体への軟質体の収容を容易とすることができる。
【００２８】
そして、前記補助具本体を前記収容体に収容した状態において、山形状となる様に形成されている。このため、前記軟質体を、その先端部が前記補助具本体に支持されるとともに、他の部位が上方に突出した前記補助具本体の突出部分と前記収容体の上面との間に挟持された状態で保持することができる。
【００２９】
これにより、当該収容体を立て掛けて陳列した場合であっても、内部の軟質体が一方が偏るといった不具合を解消することができる。
【００３０】
また、請求項２の補助具においては、前記収容体の上面には、収容された前記軟質体を取り出すための取出口が設けられており、当該収容体に収容された軟質体は、中央部が上方に突出した山形状となる前記補助具本体によって上面側に付勢される。
【００３１】
このため、収容された軟質体の残数が減少した場合であっても、前記取出口からの前記軟質体の取り出しを容易とすることができる。
【００３２】
さらに、請求項３の補助具では、前記補助具本体の少なくとも一部の横幅が、前記収容体の幅寸法より広く設定されており、当該補助具本体を前記収容体に収容した状態において、その両縁が前記収容体の側部に当接することによって、その中央部が上方に突出する山形状となるとともに、補助具本体の弾性により上方に付勢される。
【００３３】
このため、前記軟質体は、先端部が前記補助具本体に支持されるとともに、他の部位は、上方に突出した前記補助具本体の突出部分と前記収容体の上面との間に確実に挟持される。
【００３４】
これにより、当該収容体を立て掛けて陳列した場合であっても、内部の軟質体が一方が偏るといった不具合を確実に防止することができる。
【００３５】
また、前記収容体の上面に、収容された前記軟質体を取り出すための取出口を設けた際には、収容された軟質体の残数が減少した場合であっても、前記取出口からの前記軟質体の取り出しを容易とすることができる。
【００３６】
加えて、請求項４の補助具では、前記補助具本体の先端縁には、内側に後退する円弧状の先端後退部が形成されており、前記補助具本体の中央部が上方に突出するように山形に折曲した状態において、当該補助具本体の前縁から折曲部分までの間に軟質体取り出し時に前記軟質体が通過する通過領域を確保することができる。
【００３７】
このため、補助具本体を山形に折曲した状態において、直線状に形成された補助具本体の先端縁が角張ってしまい、この角部に軟質体が引っ掛かる恐れがある場合と比較して、軟質体が裂けるといった不具合の発生を未然に回避することができるとともに、軟質体をスムーズに取り出せる。
【００３８】
また、請求項５の補助具にあっては、前記補助具本体にスリットを設けることによって、前記軟質体の先端部を挿入した状態で係止する係止部を構成することができる。
【００３９】
このとき、前記スリットは、先端側へ向けて突出する山形に形成されている。このため、当該スリットに係止される前記軟質体の先端側への抜けを容易とすることができる。
【００４０】
また、請求項６の補助具においては、前記補助具本体の側縁に、内側へ後退した側縁後退部が形成されており、この補助具本体を収容体に挿入する際には、この側縁後端部に指を掛けることができる。
【００４１】
これにより、収容体への挿入作業がさらに容易となる。
【００４２】
さらに、請求項７の補助具にあっては、補助具本体を収容体に挿入する際に、幅狭に設定された先端部を基端側より先行して前記収容体に収容する。
【００４３】
このとき、前記先端部は、前記基端部より幅狭に設定されている。このため、基端から先端までの全域に渡って同じ幅寸法に設定された場合と比較して、収容体への挿入が容易となる。
【発明を実施するための最良の形態】
【００４４】
以下、本発明の一実施の形態を図に従って説明する。図１及び図２は、本実施の形態にかかる補助具１の使用状態を示す図であり、該補助具１は、食品等を収容する軟質体である透明ビニール製の袋体２を収容体としての箱体３に収容する際に使用するものである。
【００４５】
該箱体３は、図３にも示すように、長方形状に形成されており、長手方向両端には、端部開口部１１，１１が設けられている（図１参照）。前記箱体３の端縁には、図外の蓋部が設けられており、各蓋部によって前記端部開口部１１，１１を閉鎖できるように構成されている。
【００４６】
そして、前記箱体３の上面２１及び側面２２には、複数の切り込み線２３，・・・からなる破断線２４が形成されており、該破断線２４は、当該箱体３の一方の側縁から他方の側縁へ向けて基端に沿って延在する基端側延在部２５と、該基端側延在部２５より前記他方の側縁の中央部へ向けて斜めに延在する基端側傾斜部２６と、当該箱体３の一方の側縁から他方の側縁へ向けて先端に沿って延在する先端側延在部２７と、該先端側延在部２７より前記他方の側縁の中央部へ向けて斜めに延在する先端側傾斜部２８とによって構成されている。
【００４７】
該先端側傾斜部２８及び前記基端側傾斜部２６は、前記他方側の側面２２にコ字状に形成されたコ字状部によって連設されており、当該コ字状部の内側に形成された舌片を起立して引き上げることによって、前記上面２１に形成された前記破断線２４を破断できるように構成されている（図示省略）。これにより、前記上面２１に、当該箱体３に収容された前記袋体２を取り出すための取出口３１を開口できるように構成されている。
【００４８】
前記補助具１を構成する補助具本体４１は、図２に示したように、長方形板状のボール紙がプレスによって裁断されて形成されており、図３に示した箱体３に収容できる大きさに形成されている。
【００４９】
すなわち、前記補助具本体４１は、図２に示したように、前記箱体３の長さ寸法よりやや短めの長さに設定されており、当該補助具本体４１を、前記箱体３の前記端部開口部１１から挿入して収容した状態で、当該端部開口部１１を前記蓋部によって閉鎖できるように構成されている。
【００５０】
前記補助具本体４１の横幅は、図２中左側の基端側を構成する太部５１と、図２中右側の先端側を構成する細部５２とで異なる寸法に設定されており、基端側の前記太部５１での横幅Ｈ１は、前記箱体３の幅寸法より広めに設定されている。これにより、この補助具本体４１を、図１及び図４に示すように、前記箱体３に収容した状態で当該補助具本体４１の両側縁４２，４２が前記箱体３の前記側面２２，２２に当接し、その中央部が上方に突出する山形状となるように構成されている。
【００５１】
また、前記補助具本体４１の先端側の細部５２での横幅Ｈ２は、図２に示したように、基端側より幅狭に設定されており、当該細部５２での横幅Ｈ２は、前記箱体３の幅寸法より細め設定されている。これにより、当該補助具本体４１を前記箱体３に挿入して収容する際には、幅狭の前記細部５２が設けられた先端部を先行して箱体３の端部開口部１１に挿入することによって、その挿入が容易に行われるように構成されている。
【００５２】
前記補助具本体４１には、図２に示したように、長さ方向全長に渡って延在する山折り部６１が幅方向中央に設けられた中心線６２上に延設されており、当該山折り部６１は、線状にプレスされたラインによって形成されている。これにより、当該補助具本体４１を前記箱体３に収容した状態で、図１及び図４に示したように、その中央部が山折りされ、三角形状を成すように構成されている。
【００５３】
前記補助具本体４１の前記太部５１における両側縁４２，４２には、図２に示したように、内側に後退する円弧状の側縁後退部７１，７１が形成されており、当該補助具本体４１を前記箱体３に収容する際に、指が掛けやすいように構成されている。また、前記補助具本体４１の先端縁にも、内側に後退する円弧状の先端後退部７２が形成されている。
【００５４】
そして、この補助具本体４１の上面に前記袋体２を配置した状態において、図５に示すように、前記袋体２の端部を前記補助具本体４１の先端にて下面側へ折り返した状態で、当該袋体２の端部を離脱可能に係止する係止部８１が当該補助具本体４１に設けられている。この係止部８１は、先端側へ向けて突出する山形のスリット８２で構成されており、このスリット８２は、当該補助具本体４１の中心線６２上に設けられている。このスリット８２の両端部には、当該補助具本体４１の幅方向に延在する裾部８３，８３が形成されており、この裾部８３，８３は、当該スリット８２に前記袋体２の端部を挿入した状態で該袋体２の端縁を位置決めする位置決め部を構成している。
【００５５】
以上の構成にかかる本実施の形態において、前記箱体３に前記袋体２を収容して製品を箱詰めする際には、板状に形成された前記補助具本体４１の上面に、所定枚数の前記袋体２，・・・を重ねた状態で配置し、各袋体２，・・・の前端部を前記補助具本体４１の先端にて下面側へ折り返すとともに、この折り返された先端部を前記補助具本体４１に設けられた係止部８１に離脱可能に係止する。
【００５６】
これにより、前記各袋体２，・・・は、先端部が折り返された状態で長さ寸法を短くすることができ、コンパクト化できるとともに、前記板状の補助具本体４１によって不用意な折れ曲がりを防止することができる。これにより、前記袋体２を、該袋体２の長さ寸法より短い箱体３にコンパクトに収容することが可能となる。
【００５７】
この状態において、前記補助具本体４１の両側縁４２，４２を把持し、この補助具本体４１を当該補助具本体４１に支持された前記袋体２，・・・と共に前記箱体３の端部開口部１１より挿入する。このとき、前記補助具本体４１は、前記箱体３に収容される長さを有している。このため、前記補助具本体４１を前記箱体３に挿入することによって、当該補助具本体４１に支持された前記袋体２，・・・を、中途部で折れ曲がること無く、前記箱体３の奥まで収容することができる。
【００５８】
したがって、箱体３の端部開口部１１から収容される袋体２，・・・が収容途中で折れ曲がる恐れがある場合と比較して、前記箱体３への前記袋体２，・・・の収容を容易とすることができる。
【００５９】
そして、前記補助具本体４１の基端側を構成する太部５１での横幅Ｈ１は、前記箱体３の幅寸法より広く設定されており、当該補助具本体４１を前記箱体３に収容した状態において、その両側縁４２，４２が前記箱体３の側面２２，２２に当接することによって、その中央部が上方に突出する山形状となる。このため、前記袋体２，・・・を、その先端部が前記補助具本体４１に支持されるとともに、他の部位が上方に突出した前記補助具本体４１の突出部分と前記箱体３の上面２１との間に挟持された状態で保持することができる。
【００６０】
これにより、当該箱体３を立て掛けて陳列した場合であっても、内部の袋体２，・・・が下方が偏るといった不具合を解消することができる。
【００６１】
このとき、前記箱体３の上面２１には、収容された前記袋体２，・・・を取り出すための取出口３１が使用時に開口される。このとき、当該箱体３に収容された前記袋体２，・・・は、中央部が上方に突出した山形状となる前記補助具本体４１によって上面２１側に付勢されている。
【００６２】
このため、収容された袋体２，・・・の残数が減少した場合であっても、前記取出口３１からの前記袋体２，・・・の取り出しを容易とすることができる。
【００６３】
また、前記補助具本体４１の先端縁には、内側に後退する円弧状の先端後退部７２が形成されており、前記補助具本体４１の中央部が上方に突出するように山形に折曲された状態において、当該補助具本体４１の前縁から折曲部分までの間に袋体取り出し時に前記袋体２，・・・が通過する通過領域を確保することができる。
【００６４】
このため、前記補助具本体４１を山形に折曲した状態において、直線状に形成された補助具本体４１の先端縁が角張ってしまい、この角部に袋体２が引っ掛かる恐れがある場合と比較して、前記袋体２が裂けるといった不具合の発生を未然に回避することができる。
【００６５】
そして、前記補助具本体４１にスリット８２を設けることによって、前記袋体２の先端部を挿入した状態で係止する係止部８１を構成することができる。
【００６６】
このとき、前記スリット８２は、先端側へ向けて突出する山形に形成されている。このため、当該スリット８２に係止される前記袋体２の先端側への抜けを容易とすることができる。
【００６７】
また、前記補助具本体４１の両側縁４２，４２には、内側へ後退した円弧状の側縁後退部７１，７１が形成されており、この補助具本体４１を前記箱体３に挿入する際には、この側縁後端部７１，７１に指を掛けることができる。
【００６８】
これにより、前記箱体３への挿入作業がさらに容易となる。
【００６９】
さらに、前記補助具本体４１を前記箱体３に挿入する際に、幅狭に設定された先端部の細部５２を、基端側の太部５１より先行して前記箱体３に挿入する。
【００７０】
このとき、前記先端部の細部５２は、前記基端部の太部５１より幅狭に設定されている。このため、補助具本体４１の横幅が基端から先端までの全域に渡って同じ幅寸法に設定された場合と比較して、前記箱体３への挿入が容易となる。
【００７１】
なお、本実施の形態では、収容体として箱体３に付いて説明したが、袋体でも同様の効果を有する。
【００７２】
また、軟質体として、透明ビニール袋からなる袋体２について説明したが、これに限られず、プラスチックフィルムや紙、ゴム手袋やビニール手袋等を収容体に収納する際に使用することもできる。
【００７３】
さらに、本実施の形態では、補助具本体４１の材質として、ボール紙について説明したが、プラスチックシートや金属シート等でもかまわない。
【図面の簡単な説明】
【００７４】
【図１】本発明の一実施の形態を示す斜視図である。
【図２】同実施の形態の平面図である。
【図３】同実施の形態の箱体を示す平面図である。
【図４】同実施の形態の端部開口部を開口した状態を示す箱体の側面図である。
【図５】同実施の形態に袋体を取り付けた状態を示す説明図である。
【符号の説明】
【００７５】
１    補助具本体
２    袋体
３    箱体
２１    表面
２２    側面
３１    取出口
４１    補助具本体
４２    側縁
７１    側縁後退部
７２    先端後退部
８１    係止部
８２    スリット
【図１】
2007168888.tif 000003
【図２】
2007168888.tif 000004
【図３】
2007168888.tif 000005
【図４】
2007168888.tif 000006
【図５】
2007168888.tif 000007